(57)【要約】  照明器具のアクセサリが提供される。第１ルーバ部１６は、所定のパターンで配置された複数のセル１８を有し、少なくとも１組の位置合わせフィーチャを有する。組み立てられていない第２のルーバ部１６'は、第１のルーバ部１６と同一である。組み立てられた場合、第２ルーバ部１６'は、第１ルーバ部１６に対して１８０°回転され、位置合わせフィーチャ２０は、第２のルーバ部１６'上に配置されている第２の組の位置合わせフィーチャ２０'と嵌合するように構成されている。
2018514922.tif 000002
【特許請求の範囲】
【請求項１】
照明器具のアクセサリであって、
所定のパターンで配置されるとともに少なくとも１組の位置合わせフィーチャを有する複数のセルを有する第１のルーバ部と、
前記第１のルーバ部と同一の組み立てられていない第２のルーバ部と、
を有する照明器具のアクセサリであって、
組み立てられる場合、前記第２のルーバ部は前記第１のルーバ部に対して１８０°回転され、前記位置合わせフィーチャは、前記第２のルーバ部上に配置された第２の組の位置合わせフィーチャの組と嵌合するように構成されている、
照明器具のアクセサリ。
【請求項２】
前記位置合わせフィーチャは、第１の部分及び第２の部分を形成するように中心軸よって二分されている前記ルーバの第１の側縁部から延在しており、前記位置合わせフィーチャは、
所定の寸法を有するとともに前記中心軸から第１の距離だけ離間されている前記第１の部分から延在しているタブと、
前記第２の部分に配置されるとともに、前記中心軸から前記第１の距離だけ離間されているスロットであって、位置合わせフィーチャの第２の組を形成するように、前記所定の寸法を有する第２のタブと嵌合するように適合されているスロットと、
を有する、請求項１に記載の照明器具のアクセサリ。
【請求項３】
前記第１の部分から延在するとともに前記中心軸から前記第２の距離だけ離間されている第２の所定の寸法を有する第３のタブと、
前記第２の部分に配置されるとともに前記中心軸から前記第２の距離だけ離間されている第３のスロットであって、第２の組の位置合わせフィーチャを形成するように、第２の所定の寸法を有する第４のタブと嵌合するように適合された第３のスロットと、
を更に有する、請求項２に記載の照明器具のアクセサリ。
【請求項４】
前記第１の所定の寸法及び前記第２の所定の寸法は同じである、請求項３に記載の照明器具のアクセサリ。
【請求項５】
請求項２に記載の照明器具のアクセサリであって、
第２の所定の寸法を有するとともに第２の部分から延在するとともに中心軸から第２の距離だけ離間されている第３のタブと、
前記第１の部分に配置され、前記中心軸から前記第２の距離だけ離間されている第３のスロットであって、第２の組の位置合わせフィーチャを形成するように、第２の所定の寸法を有する第４のタブと嵌合するように適合されている第３のスロット３２と、
を更に有する、請求項２に記載の照明器具のアクセサリ。
【請求項６】
前記第１の所定の寸法と前記第２の所定の寸法は同じである、請求項５に記載の照明器具のアクセサリ。
【請求項７】
前記所定パターンのセルは、第１の位置において、前記照明器具内に配置された一組の光学素子の第１の半分と位置合わせするように構成されている、請求項１に記載の照明器具のアクセサリ。
【請求項８】
前記所定パターンのセルは、前記第１の位置に対して１８０°回転されている第２の位置において、前記照明器具内に配置された前記光学系の第２の半分と位置合わせするように構成されている、請求項７に記載の照明器具のアクセサリ。
【請求項９】
第２の側縁から延在しているとともに、前記照明器具に取り付けられるように適応化されているフランジを更に有する、請求項１に記載の照明装置のアクセサリ。
【請求項１０】
前記フランジは、前記第２の側縁を長手方向に二分する第２の軸から延在するように位置決めされる、請求項９に記載の照明器具のアクセサリ。
【請求項１１】
前記フランジは、前記照明器具に取り付けられた場合、アクセサリ・ベゼルによって規定される凹部内に前記ルーバ部を配置するように位置決めされる、請求項９に記載の照明器具のアクセサリ。
【請求項１２】
前記フランジは、更に、第３の側縁及び第４の側縁から延在している、請求項９に記載の照明器具のアクセサリ。
【請求項１３】
前記ルーバ部が射出成形プラスチックから形成される、請求項１に記載の照明器具のアクセサリ。
【請求項１４】
各セルが、前記ルーバ部を貫通して形成された孔である、請求項１に記載の照明器具のアクセサリ。
【請求項１５】
前記ルーバ部の周囲に取り付けられると共に前記ルーバ部を超えて延在するシールドを更に有する、請求項１に記載の照明器具のアクセサリ。
【発明の詳細な説明】
【技術分野】
【０００１】
本発明は、一般に、照明器具内の光のグレアを防止するのに使用するための繰返し可能なルーバ・アクセサリに関する。
【背景技術】
【０００２】
建築用投光照明は、建物の外部又は内部を照明するために使用される。これらの投光照明は、照明器具とも呼ばれ、建物の魅力的な建築的特徴を強調し、温かく歓迎する雰囲気を作り出すために使用されている。また、小売ディスプレイ、又は公共のモニュメント、カジノ、高層ビルなどの他のアトラクションへの注意を引くためにも使用されている。
【０００３】
照明器具は高出力ＬＥＤを使用することが多いため、特定の視野角における光を阻止ことがしばしば必要である。例えば、建物を照明する場合、ルーバを使用して、歩行者又は運転者を強力な光源から遮蔽することができる。特定の視野角におけるグレアを防止するために、ルーバがしばしば光を特定の方向に向けるために使用される。ルーバは、チャンネル、スロット又は他の手段を使用して、ある角度又は角度の組における光を容認するが、他の角度における光を阻止する。
【発明の概要】
【発明が解決しようとする課題】
【０００４】
大型のルーバを単一のツールから加工することは、しばしば、大型の注入ツールを製造することが困難であるため、実現可能ではない。更に、大型のルーバを工具で加工すること（tooling）は費用がかかり、工具のリードタイムが長くなり、工具のコストを倍増させる。しかしながら、別々のルーバ設計を工具で加工すると、照明器具の光学系との不整合が生じ、望ましくないことにＬＥＤを遮り、光出力を低下させる。
【０００５】
従って、当技術分野では、製造するのに大きな工具を必要とせず、設置時に照明器具の光学系と適切に位置合わせする単一のルーバの設計が必要とされている。
【課題を解決するための手段】
【０００６】
本開示は、単一の工具によって工具による加工をされることができ、取り付けられる際に照明器具の光学系と位置合わせする本発明のルーバの設計を対象としている。本明細書の様々な実施例及び実施化は、複製された回転されるルーバ部と組み合わせてルーバ全体を形成することができるルーバ部に関する。ルーバ部は、前記複製された回転されるルーバ部の位置合わせのフィーチャと係合する。例えば、幾つかの実施例において、前記ルーバ部は、１つの側縁に沿って形成された少なくとも１つのタブ及び１つのスロットを含み、前記ルーバ部が前記複製された回転されるルーバ部と嵌合する（mate with）ことを可能にする。
【０００７】
一般に、１つの見地において、照明器具のアクセサリは、所定のパターンで配置され、少なくとも１組の位置合わせのフィーチャを有する複数のセルを有する第１のルーバ部と、前記第１のルーバ部と同一であるアセンブリされていない第２のルーバ部とを含み、アセンブリされる際に、前記第２のルーバ部は、前記第１のルーバ部に対して１８０°回転され、この位置合わせフィーチャは、前記第２のルーバ部上に配置された第２の組の位置合わせフィーチャと嵌合するように構成される、
【０００８】
幾つかの実施例において、前記位置合わせフィーチャは、第１の部分及び第２の部分を形成するように中心軸によって二等分された第１の側縁から延在し、前記位置合わせフィーチャは、所定の寸法を有し第１の部分から延在するとともに中心軸から第１の距離だけ離間しているタブと、第２の部分内に配置されるとともに中心軸から第１の距離だけ離間しているスロットとを有し、前記スロットは、前記所定の寸法を有する第２のタブと嵌合するように適合され、前記第２の組の位置合わせフィーチャを形成する。
【０００９】
幾つかの実施例において、当該照明器具のアクセサリは、第１の部分から延在するとともに第２の距離だけ中心軸から離間した第２の所定の寸法を有する第３のタブと、第２の部分内に配置されるとともに前記中心軸から前記第２の所定の距離だけ離間している第３のスロットとを有し、前記第３のスロットは、前記第２の所定の寸法を有する第４のタブと嵌合するように適応化されており、前記第２の組の位置合わせフィーチャを形成する。
【００１０】
幾つかの実施例において、第１の所定の寸法及び第２の所定の寸法は同じである。
【００１１】
幾つかの実施例において、照明器具のアクセサリは、第２の部分から延在するとともに中心軸から第２の距離だけ離間した第２の所定の寸法を有する第３のタブと、前記第１の部分に配置されるとともに前記中心軸から前記第２の距離だけ離間した第３のスロットとを含み、前記第３のスロットは、前記第２の所定の寸法を有する第４のタブと嵌合するように適応化されており、前記位置合わせフィーチャの第２の組を形成する。
【００１２】
幾つかの実施例において、セルの所定のパターンは、第１の位置において、照明器具内に配置された１組の光学系の第１の半分と位置合わせするように構成される。
【００１３】
幾つかの実施例において、セルの所定のパターンは、第２の位置において、照明器具内に配置された光学系の組の第２の半分と位置合わせするように構成され、第２の位置は第１の位置に対して１８０°回転する。
【００１４】
幾つかの実施例において、照明器具のアクセサリは、第２の側縁から延在するとともに前記照明器具に取り付けられるように適合されたフランジを含む。
【００１５】
幾つかの実施例において、前記フランジは、第２の側縁を長手方向に二等分する第２の軸から延在するように位置決めされる。
【００１６】
幾つかの実施例において、前記フランジは、ルーバ部を、照明器具に取り付けられる際のアクセサリ・ベゼルによって規定される凹部内に配するように位置決めされる。
【００１７】
幾つかの実施例において、前記フランジは、更に、第３の側縁から延在している。
【００１８】
幾つかの実施例において、前記ルーバ部は射出成形プラスチックから形成される。
【００１９】
幾つかの実施例において、各セルは、ルーバ部を貫通して形成された孔である。
【００２０】
幾つかの実施例において、照明器具のアクセサリは、更に、前記ルーバ部の周囲に取り付けられているとともに前記ルーバ部を超えて延在するシールドを含む。
【００２１】
本開示の目的のために本明細書で使用されているように、「ＬＥＤ」なる用語は、電気信号に応答して放射を生成することができる任意のエレクトロルミネッセントダイオード又は他の種類のキャリア注入/ジャンクションベースのシステムを含むと理解すべきである。従って、「ＬＥＤ」なる用語は、電流、発光ポリマー、有機発光ダイオード（ＯＬＥＤ）及びエレクトロルミネセンスストリップ等に応答して光を発する様々な半導体ベースの構造を含むが、これらに限定されるものではない。特に、「ＬＥＤ」なる用語は、赤外線スペクトル、紫外スペクトル、及び可視光のスペクトル（一般に、約４００ナノメートルから約７００ナノメートルまでの放射波長を含む）の様々な部分のうちの１つ又は複数における放射を生成するように構成されることができる（半導体及び有機発光ダイオードを含む）全ての種類の発光ダイオードを称する。ＬＥＤの幾つかの例は、これらに限定されるものではないが、様々な種類の赤外線ＬＥＤ、紫外ＬＥＤ、赤色ＬＥＤ、青色ＬＥＤ、緑色ＬＥＤ、黄色ＬＥＤ、琥珀色ＬＥＤ、橙色ＬＥＤ、及び白色ＬＥＤ（以下に更に説明する）を含む。ＬＥＤは、所与のスペクトル（例えば、狭帯域幅、広帯域幅）に対して様々な帯域幅（例えば、半値全幅、又はＦＷＨＭ）を有する放射を生成するように構成及び/又は制御されることができ、所与の一般的な色分けの範囲内の様々な主要な波長（dominant wavelengths）を有すると理解されるべきである。
【００２２】
例えば、本質的に白色光を生成するように構成されたＬＥＤ（例えば、白色ＬＥＤ）の１つの実施化は、組み合わせにおいて、本質的に白色光を形成するように混合する異なるスペクトルのエレクトロルミネッセンスをそれぞれ発する複数のダイを含むことができる。別の実施例では、白色光ＬＥＤは、第１のスペクトルを有するエレクトロルミネセンスを異なる第２のスペクトルに変換する蛍光体材料と関連し得る。この実施化の一例では、比較的短波長で狭帯域幅のスペクトルを有するエレクトロルミネッセンスは、蛍光体材料を「ポンプ」し、前記蛍光体材料は、やや広いスペクトルを有するより長い波長の放射を放射する。
【００２３】
「ＬＥＤ」なる用語は、ＬＥＤの物理的及び/又は電気的パッケージの種類を限定しないことも理解されたい。例えば、上述したように、ＬＥＤは、異なるスペクトルの放射をそれぞれ発する（例えば、個別に制御可能であってもなくても良い）複数のダイを有する単一の発光デバイスを指すこともある。また、ＬＥＤは、ＬＥＤの一体部分（例えば、幾つかの種類の白色ＬＥＤ）と見なされる蛍光体と関連していても良い。一般に、「ＬＥＤ」なる用語は、パッケージングされたＬＥＤ、非パッケージ化ＬＥＤ、表面実装型ＬＥＤ、チップオンボードＬＥＤ、Ｔパッケージ実装型ＬＥＤ、放射状パッケージＬＥＤ、電源パッケージＬＥＤ、ケースに入っているもの及び／又は光学素子（例えば、拡散レンズ）等の幾つかの種類を含むＬＥＤであっても良い。
【００２４】
前述の概念及び以下において詳細に論じられる更なる概念の全ての組み合わせ（このような概念が相互に矛盾しないことを条件とする）が、本明細書に開示された発明の主題の一部であると考えられることを理解されたい。特に、本明細書の末尾に添付されている特許請求の範囲における主題の全ての組み合わせは、本明細書で開示される本発明の主題の一部であると考えられる。また、本明細書で明示的に使用される用語は、参照によって組み込まれる任意の開示に現れることもでき、本明細書に開示された概念と最も一致する意味として扱われるべきであることを理解されたい。
【００２５】
本発明のこれら及び他の態様は、以下に記載する実施例を参照して明らかになるであろう。
【００２６】
図面において、同様の符号は、概して異なる図を通して同じ部分を称している。また、図面は必ずしも縮尺通りではなく、その代わりに全体的に本発明の原理を例示するようにされている。
【図面の簡単な説明】
【００２７】
【図１】本発明の一実施例によるルーバ部を有する照明器具の概略図である。
【図２】本発明の一実施例によるルーバ部の概略図である。
【図３】本発明の一実施例によるルーバ部の概略図である。
【図４】本発明の一実施例によるフランジを備えるルーバ部と照明器具との概略図である。
【図５】本発明の一実施例によるルーバ及びシールドを備える照明器具の概略図である。
【図６】本発明の一実施例によるルーバ部の側面図である。
【発明を実施するための形態】
【００２８】
本開示は、単一の反復可能なルーバ設計からルーバを形成するための装置、システム、及びデバイスの様々な実施例を記載する。更に一般的には、出願人は、単一の、より小さい、組み合わせ可能なルーバ設計からより大きなルーバを作ることが有益であることを認識し理解した。本開示の実施例の利用の特定の目標は、大きな工具を必要とすることなく、照明器具の光学系と適切に位置合わせする大きなルーバを製造することができることにある。
【００２９】
前述を考慮して、様々な実施例及び実施化が、複製された回転されるルーバ部と組み合わされてルーバ全体を形成することができるルーバ部に関する。ルーバ部は、１つの側縁に沿って形成された少なくとも１つのタブと１つのスロットとを含み、前記ルーバ部が複製された回転されるルーバ部と嵌合するように構成されていても良い。タブ及びスロットは、側縁部を等しく半分に分ける中心軸の別個の側に位置されてもよい。タブ及びスロットは、両方、前記タブが、回転される複製されているルーバ部のスロットに挿入されるように中心軸から同じ距離だけ離間して配置され、前記スロットは、回転される複製されているルーバ部のタブを収容するように位置決めされる。ルーバ部１６'を１８０°回転させることにより、二か所で（twice）使用されることができる１つの部品のみの製造を可能にする。
【００３０】
図１を参照すると、複数の照明器具光学系１２及び高くされているアクセサリ・ベゼル１４を有する照明器具１０の実施例が示されている。照明器具１０に取り付けられているのは、ルーバ部１６と、ルーバ部１６の複製であるルーバ部１６'とである。一緒に嵌合されて設置される場合、ルーバ部１６'は、ルーバ部１６に対して１８０°回転される。従って、ルーバ部１６は、１８０°回転された自身の複製に嵌合するように構成される。
【００３１】
図２に示されるように、ルーバ部１６は、セル１８のパターン、ルーバ１６の一方の側縁２２-１から延在する位置合わせフィーチャ２０と、ルーバ部１６の残りの側縁２２-２,２２-３及び２２-４から延在しているフランジ２４を含んでいる。位置合わせフィーチャ２０は、側縁２２-１に形成された一対のタブ及びスロットから構成されることができる。例示的な実施例では、ルーバ部１６は、射出成形プラスチックから形成されるが、ルーバを形成する他の既知の方法を使用することもできる。
【００３２】
位置合わせフィーチャ２０は、以下で詳細に議論されるように、ルーバ部１６が設置中にルーバ部１６'と適切に位置合わせされることを保証する。位置合わせフィーチャ２０は、更に、全てのルーバのセル１８が照明器具の光学系１２と直接的に位置合わせされることを可能にする。このことは、光源方向における光のカットオフをなくし、光出力を最大にする。位置合わせフィーチャ２０は、更に、各ルーバ部品の１６,１６'の設置者に対して正しい向きの視覚的な合図を提供する。図示の実施例では、ルーバ部１６は、２つのタブ/スロット対を含んでおり、即ちタブ２６及びスロット２８が一方の対を形成しており、タブ３０及びスロット３２が他方の対を形成している。２つの対が示されているが、ルーバ部１６は、代替的な実施例において、１つのタブ/スロット対、又はルーバ部１６内に形成され得るあらゆる他の嵌合する位置合わせを有しても良い。
【００３３】
セル１８は、ルーバ部１６を通って形成される孔から成っていても良く、又は、代替的な実施例では、チャネル又はスロットとして形成されていても良い。当業者であれば、セル１８は、光が所望の角度又は角度の組においてルーバ部１６を通過するのに十分な如何なる仕方においても形成されることができることを理解するであろう。セル１８のパターンは、照明器具の光学系１２と位置合わせするように配置されても良い。照明器具はしばしば２つのＬＥＤボードを含み、一方が他方に対して１８０°回転されているので、回転されたルーバ部１６'を、回転された前記ＬＥＤボード上に設置することにより、セル１８'を前記回転されたＬＥＤボードのＬＥＤと位置合わせする。このようにして、セル１８は、照明器具の光学系１２の第１の半分と位置合わせされ、セル１８'は、照明器具の光学系１２の第２の、回転されている半分と位置合わせされる。当業者であれば、任意の数のセル１８パターンが使用され得ることも認識するであろう。更に、セル１８の間隔、セル１８の形状及びセル１８の深さは、代替的な実施例において変化し得る。実際、各セルの特性は、単一の実施例内で変化して、所望の光カットオフ角を達成することができる。
【００３４】
フランジ２４は、ルーバ部１６を照明器具１０に取り付けるための表面を提供する。この目的のために、フランジ２４は、ルーバ部１６を照明器具１０に取り付けるための、ねじ及びワッシャのような取り付け用のハードウェアを収容するように適合されても良い。示された実施例において、フランジ２４は、位置合わせフィーチャ２０を持たない３つの側縁２２-２,２２-３,２２-４の各々から延在することができる。代替的な実施例において、フランジ２４は、１つ又は２つの側縁のみ２２から延在している。更に、フランジ２４は、各側縁部２２の長さを拡張していてもよく、又は代替的には、各側縁部２２の一部分のみから延在して延びても良い。
【００３５】
図３Ａを参照すると、両方のルーバ部１６,１６'が同じ向きにおいて一緒に示されている。図３Ｂに示すように、ルーバ部１６'が１８０°回転され、この結果、各ルーバ部の位置合わせフィーチャ２０が位置合わせされる。この図は、ルーバ部１６'が１８０°回転された場合、タブ２６がスロット２８'に位置合わせされ、タブ３０がスロット３２'と位置合わせされ、タブ２６'がスロット２８と位置合わせされ、タブ３０'がスロット３２と位置合わせされることを示している。この位置合わせは、後述するように、中心軸からの各タブ及びスロットの間隔によって可能にされている。図３Cは、ルーバ部１６とルーバ部１６'とが完全に一緒に嵌合されるのを示している。
【００３６】
図４Ａを参照すると、ルーバ部１６の側面図とベゼル１４を含む照明器具１０の前面の一部の側面図とが示されている。図示した実施例では、フランジ２４が、ルーバ部１６が、取り付けられる際にアクセサリ・ベゼル１４内に埋め込まれるのを可能にするように、側縁２２の中央の長手方向の軸Ａ２に沿って延在することができる。図４Ｂは、照明器具１０のベゼル１４に取り付けられたルーバ部１６を示している。フランジ２４は、側縁２２の中心の長手方向軸Ａ２に沿って延在しているので、ルーバ部１６が取り付けられる際、ルーバ１６の下半分はアクセサリ・ベゼル１４内に埋め込まれる。ルーバ部１６のアクセサリ・ベゼル１４内への埋め込みは、照明器具１０の外形を小さくし、ルーバ部１６によって遮られる光の量を減少させ、フランジ２４を通る光の漏出を取り除く。当業者には理解されるように、フランジ２４は、ルーバ部１６がアクセサリ・ベゼル１４内に埋め込まれる量を変化させるために、軸Ａ２の上方又は下方に位置決めされることができる。
【００３７】
図５は、グレアを管理するために設置された付加的なシールド３４を備える照明器具１０を示す。シールド３４は、ルーバ部１０上に取り付けられることができる。当業者には理解されるように、異なるシールドのサイズ、角度及び形状が、様々な程度のグレアの管理を達成するために使用されることができる。
【００３８】
図６を参照すると、ルーバ部１６の実施例の側面図が示されている。図示の実施例では、ルーバ部１６は、中心軸Ａ１によって二等分されている。タブ２６及びスロット２８は各々、中心軸Ａ１から同じ距離Ｄ１だけ離れている。同様に、タブ３０及びスロット３２は各々、中心軸から同じ距離Ｄ２だけ離れている。この間隔は、ルーバ部１６が、やはり中心軸Ａ１'から距離Ｄ１だけ離間したタブ２６'及びスロット２８'と軸Ａ１'から距離Ｄ２だけ離間されているタブ３０'及びスロット３２'とを有する複製ルーバ１６' （図示略）と嵌合することを可能にしている。ルーバ部１６'が嵌合される際に１８０°回転するので、間隔Ｄ１は、タブ２６がスロット２８'と位置合わせし、スロット２８がタブ２６'と位置合わせすることを保証し、間隔Ｄ２は、タブ３０がスロット３２'と位置合わせしスロット３２がタブ３０'と位置合わせするのを保証する。タブ及びスロットは交互に示されているが、当業者は、２つのタブ又は２つのスロットを互いに隣接して配置することができることを認識するであろう。各タブ/対が中心軸Ａ１の両側に位置決めされることのみが重要である。例えば、タブ３０及びスロット３２の位置は、これらが中心軸Ａ１を挟んで両側に残っている限り、入れ替えられても良い。
【００３９】
更に、一緒に嵌合するように、各スロットは、前記中心軸から同じ距離だけ離間されたタブを収容するような大きさでなければならない。例えば、スロット２８は、タブ２６を収容するような大きさでなければならない。例示的な実施例において、各スロットは、自身が収容するタブ（複製ルーバ部１６'のタブ）よりも僅かにだけ大きくなるようなサイズにされるのみで良く、この結果、ルーバ部１６とルーバ部１６'との接続に最小の遊びが設けられる。代替的な実施例において、各タブは、ルーバ部１６をルーバ部１６'としっかりと嵌合するように各スロットを掴むように形成されることができる。これは、スロット内に形成された溝に嵌合するフック付きの端部を有するように各タブを成形することによって達成され得る。代替的には、各タブは、一旦挿入されると、スロット内で拡張するように構成されても良い。当業者であれば、前記タブ及び前記スロットは、タブが対応するスロットの内部に嵌合する又は対応するスロットの内部を掴むのを可能にするように、複数の仕方において形成されることができることを理解するであろう。更に、当業者であれば、タブ及びスロットの各対がサイズ及び形状において他の対のタブ及びスロットと異なっていても良いことを理解するであろう。例えば、スロット２８及びタブ２６は１つのサイズ及び形状であってもよく、スロット３２及びタブ３０は異なるサイズ及び形状であっても良い。
【００４０】
幾つかの本発明の実施例が本明細書に記載され説明されたが、当業者であれば、機能を実行するための、並びに/又は、記載された結果及び/若しくは利点の１つ以上を得るための様々な他のシステム及び/又は構造を容易に想像することができ、このような変形及び/又は修正の各々は、本明細書に記載される本発明の実施例の範囲内にあるとみなされるであろう。より一般的には、当業者であれば、本明細書に記載される全てのパラメータ、寸法、材料及び構成が例示的なものであることを意図しており、実際のパラメータ、寸法、材料及び/又は構成は、本発明の教示が使用される特定の（複数の）アプリケーションに依存することが容易に理解できるであろう。当業者であれば、本明細書に記載の特定の本発明の実施例に対する多くの均等物を認識する、又は単に定常的な実験を用いて追究することができるであろう。従って、前述の実施例は単なる例示として提示されたものであり、添付の特許請求の範囲及びこれと均等の範囲内で、本発明の実施例は、具体的に記載され請求される以外の方法で実施され得ることが理解されるべきである。本開示の本発明の実施例は、本明細書に記載される個々のフィーチャ、システム、物品、材料、キット及び/又は方法を対象とする。更に、このようなフィーチャ、システム、物品、キット及び/又は方法の２つ以上の任意の組み合わせは、このようなフィーチャ、システム、物品、キット及び/又は方法が相互に矛盾しない場合、本発明の範囲内に含まれる。
【００４１】
本明細書で定義され使用されている全ての定義は、辞書定義、参照により組み込まれた文献の定義、及び/又は定義された用語の通常の意味を預かるものであると理解されるべきである。
【００４２】
本明細書及び特許請求の範囲において記載されている単数形は、反対であることの明確な指示がない限り、「少なくとも１つ」を意味すると理解されるべきである。
【００４３】
本明細書及び特許請求の範囲において使用される「及び/又は」なる語句は、このように結合された要素の「一方又は両方」を意味しており、即ち或る場合においては結合的に存在し、他の場合においては分離的に存在するものと理解されるべきである。「及び/又は」によって列挙された複数の要素は、同じように、即ちそのように結合された要素の「１つ以上」と解釈されるべきである。「及び/又は」の節によって具体的に識別される要素以外の他の要素が、具体的に識別された要素と関連するかどうかにかかわらず、任意に存在しても良い。
【００４４】
本明細書及び特許請求の範囲で使用されているように、「又は」は、上述で定義した「及び/又は」と同じ意味を有すると理解されたい。例えば、リスト中の項目を分離する場合、「又は」又は「及び/又は」は包括的であると解釈されるべきであり、即ち、要素の数又はリストの少なくとも１つだけでなく２つ以上も含むが、任意に、リストにない付加的な項目も含むものであると解釈されるべきである。「１つだけ」又は「正確に１つ」のように逆に明示された用語、又は特許請求の範囲において使用される場合における「?からなる」という用語のみが、複数の又はリストのうちの１つの要素のみを含むことを言及している。一般に、本明細書で使用される「又は」なる用語は、「どちらか」、「?のうちの１つ」、「?のうちの１つのみ」又は「?のうちの厳密に１つ」のように排他的な用語が先行している場合、排他的な選択肢（即ち「一方又は他方であり両方ではない」）を示しているものであるとだけに解釈されるべきである。
【００４５】
本明細書及び特許請求の範囲で使用されるように、１つ又は複数の要素のリストを参照して、「少なくとも１つの」という語句は、要素のリスト内の何れか１つ又は複数の要素から選択される少なくとも１つの要素を意味すると理解されるべきであるが、必ずしも要素のリスト内に特に挙げられている各要素又は全ての要素のうちの少なくとも１つを含むものではなく、要素の前記リスト内の要素の任意の組み合わせを除外するものではないと理解されるべきである。この定義はまた、「少なくとも１つの」なる語句が指し示す要素のリスト内に具体的に識別される要素以外の要素が、前記具体的に識別されているこれらの要素に関係するか否かに拘わらず、任意に存在することを可能にしている。
【００４６】
逆であることが明確に示されていない限り、複数のステップ又は動作を含む本明細書において請求される何れの方法においても、当該方法のステップ又は動作の順序は、必ずしもステップ又は動作が列挙されている順序に限定されるものではないことも理解されたい。
【００４７】
添付の請求項において、上述の明細書と同様に、「有する」、「含む」、「担持する」、「持つ」、「含有する」、「包含する」、「保持する」及び「?から成る」等の全ての移行句（transitional phrase）は、上限がないものであり、即ちこれらに限定されるわけではなく、含むことを意味するものと理解されるべきである。「?からなる」及び「本質的に?からなる」という移行句のみが、米国特許商標庁の特許審査手続第２１１１.０３項に記載されているように、それぞれ閉鎖又は半閉鎖の移行句であるものとする。
【００４８】
幾つかの本発明の実施例が本明細書に記載され説明されたが、当業者は、機能を実行するための、並びに/又は本明細書に記載さいた結果及び／若しくは利点の１つ以上を得るための様々な他の手段及び/又は構造、及びこのような変形及び/又は修正の各々が本明細書に記載される本発明の実施例の範囲内にあるとみなされることを容易に想像するであろう。より一般的には、当業者は、本明細書に記載される全てのパラメータ、寸法、材料及び構成が例示的であることを意図しているものであり、実際のパラメータ、寸法、材料及び/又は構成は、本発明の教示が使用される（複数の）アプリケーションに依存するであろうことを容易に理解するであろう。当業者は、本明細書に記載の特定の本発明の実施例に対する多くの均等物を認識する、又はわずか定常的な実験を用いて追及することができるであろう。従って、上述の実施例は単なる例示として提示され、添付の特許請求の範囲及びこれと均等の範囲内で、本発明の実施例は、具体的に記載され請求されているもの以外にも実施され得ることが理解されるべきである。本開示の本発明の実施例は、本明細書に記載される個々の特徴、システム、物品、材料、キット及び/又は方法を対象とする。更に、このような特徴、システム、物品、キット及び/又は方法の２つ以上の任意の組み合わせは、このような特徴、システム、物品、キット及び/又は方法が相互に矛盾しない場合、本発明の範囲内に含まれる。
【図１】
2018514922.tif 000003
【図２】
2018514922.tif 000004
【図３Ａ】
2018514922.tif 000005
【図３Ｂ】
2018514922.tif 000006
【図３Ｃ】
2018514922.tif 000007
【図４Ａ】
2018514922.tif 000008
【図４Ｂ】
2018514922.tif 000009
【図５】
2018514922.tif 000010
【図６】
2018514922.tif 000011
【国際調査報告】
2018514922.tif 000012
2018514922.tif 000013
2018514922.tif 000014